(57)【特許請求の範囲】
【請求項１】
幅方向に所定の間隔をあけて立設される一対の柱部と、前記一対の柱部の上端部同士を連結するように架設される架設部とを備えた門構造体であって、
前記柱部が、奥行方向に所定の間隔をあけてそれぞれ立設された一対の支柱本体と、前記一対の支柱本体の前記幅方向を向く両側面側にそれぞれ配設されるとともに、前記一対の支柱本体に架け渡すように配設される一対の側面カバーとを備え、
前記架設部が、前記幅方向に延設されるとともに前記奥行方向に所定の間隔をあけてそれぞれ配設される一対の側枠と、前記一対の側枠の上面側と下面側にそれぞれ配設されるとともに、前記一対の側枠に架け渡すように配設される上枠及び下枠とを備えて構成されていることを特徴とする門構造体。
【請求項２】
請求項１記載の門構造体において、
前記一対の支柱本体と前記一対の側面カバーで囲まれて形成される前記柱部の内部空間内に前記下枠の端部を配して、前記柱部と前記架設部が連結されている門構造体。
【請求項３】
請求項１または請求項２記載の門構造体において、
電気機器を一体に備えており、
前記一対の支柱本体と前記一対の側面カバーで囲まれて形成される前記柱部の内部空間、及び／又は前記一対の側枠と前記上枠及び前記下枠で囲まれて形成される前記架設部の内部空間が前記電気機器の配線路である門構造体。
【請求項４】
請求項１から請求項３のいずれか一項に記載の門構造体において、
上下方向に間隔をあけて配設される複数の横材と、最上方の横材と前記架設部、上下に隣り合う前記横材同士を接続する吊り材とを備えてなる装飾構造を一体に備え、
前記横材が着脱可能に分割形成された上部枠と下部枠を備えて構成されている門構造体。
【請求項５】
請求項１から請求項４のいずれか一項に記載の門構造体において、
袖壁構造を一体に備え、
前記柱部に前記側面カバーを欠いた切欠き部を設け、該切欠き部に一側端部を配して前記袖壁構造が前記柱部に一体に連結して設けられている門構造体。
【発明の詳細な説明】
【技術分野】
【０００１】
本発明は、門構造体に関する。
【背景技術】
【０００２】
例えば、意匠性（見栄え、風格など）を高めたり、敷地と外部の出入り口を明確化するなどを目的として、和風建築では腕木門、棟門、くぐり門などの門構造体を設けることが多い。
【０００３】
これに対し、現代建築（現代的な住宅など）では、表面にサイディングやタイル貼りなどで表面を装飾した門袖や門柱などを敷地と外部の出入り口などの外構として設置し、この門袖や門柱に表札やポスト、照明などを取り付ける形式が多用されている（例えば、特許文献１、特許文献２参照）。
【先行技術文献】
【特許文献】
【０００４】
【特許文献１】特開平０８−１８９２７５号公報
【特許文献２】特開２０１１−０４２９３０号公報
【発明の概要】
【発明が解決しようとする課題】
【０００５】
一方、現代建築、特に現代的な住宅などでは、門まわりの外構として、和風建築の腕木門、棟門、くぐり門のような門構造体を設けることがほとんど行われていない。このため、和風建築の腕木門、棟門、くぐり門のような門構造体を現代建築にも適用して門まわりの意匠性を高める手法を開発することが望まれていた。
【０００６】
本発明は、上記事情に鑑み、腕木門、棟門、くぐり門のような門構造体を乾式工法で構築することを可能にする門構造体を提供することを目的とする。
【課題を解決するための手段】
【０００７】
上記の目的を達するために、この発明は以下の手段を提供している。
【０００８】
本発明の門構造体は、幅方向に所定の間隔をあけて立設される一対の柱部と、前記一対の柱部の上端部同士を連結するように架設される架設部とを備えた門構造体であって、前記柱部が、奥行方向に所定の間隔をあけてそれぞれ立設された一対の支柱本体と、前記一対の支柱本体の前記幅方向を向く両側面側にそれぞれ配設されるとともに、前記一対の支柱本体に架け渡すように配設される一対の側面カバーとを備え、前記架設部が、前記幅方向に延設されるとともに前記奥行方向に所定の間隔をあけてそれぞれ配設される一対の側枠と、前記一対の側枠の上面側と下面側にそれぞれ配設されるとともに、前記一対の側枠に架け渡すように配設される上枠及び下枠とを備えて構成されていることを特徴とする。
【０００９】
この発明においては、一対の支柱本体を立設し、一対の側面カバーを取り付けることで柱部を構築でき、一対の柱部に架け渡すように一対の側枠と上枠及び下枠を取り付けることで、一対の柱部に架設部を架設することができる。これにより、腕木門、棟門、くぐり門のような門構造体を乾式工法で構築することが可能になる。
【００１０】
また、本発明の門構造体においては、前記一対の支柱本体と前記一対の側面カバーで囲まれて形成される前記柱部の内部空間内に前記下枠の端部を配して、前記柱部と前記架設部が連結されていることが望ましい。
【００１１】
この発明においては、雨水等の水が架設部の内部に浸入した場合に、柱部の内部空間内に下枠の端部が配されていることで、この水を架設部の内部空間から柱部の内部空間を通じて下方に導いて排水することができる。
【００１２】
さらに、本発明の門構造体においては、電気機器を一体に備えており、前記一対の支柱本体と前記一対の側面カバーで囲まれて形成される前記柱部の内部空間、及び／又は前記一対の側枠と前記上枠及び前記下枠で囲まれて形成される前記架設部の内部空間が前記電気機器の配線路であることがより望ましい。
【００１３】
この発明においては、照明やインターホンなどの電気機器を備える場合に、乾式工法で門構造体を構築することによって形成された柱部の内部空間や架設部の内部空間を配線路として利用することができる。これにより、別途配線路を設ける必要がなく、見栄えをよくして（見栄えを維持して）電気機器を一体に設けることが可能になる。
【００１４】
また、本発明の門構造体においては、上下方向に間隔をあけて配設される複数の横材と、最上方の横材と前記架設部、上下に隣り合う前記横材同士を接続する吊り材とを備えてなる装飾構造を一体に備え、前記横材が着脱可能に分割形成された上部枠と下部枠を備えて構成されていてもよい。
【００１５】
この発明においては、例えば、最上方の吊り材の下端に最上方の横材の上部枠をビス留めして取り付け、この状態で最上方の吊り材の上端を架設部にビス留めするなどして取り付ける。次に、他の吊り材の上端に横材の下部枠、下端に横材の上部枠をそれぞれビス留めして取り付け、この状態で、横材の下部枠を先行して取り付けた最上方の横材の上部枠に係合させて取り付けることにより、最上方の横材を形成することができる。そして、このような操作を順次繰り返し、最後に最下方の吊り材の下端に取り付けられた上部枠に下部枠を係合させて最下方の横材を形成することによって、装飾構造を容易に構築することができる。
【００１６】
さらに、本発明の門構造体においては、袖壁構造を一体に備え、前記柱部に前記側面カバーを欠いた切欠き部を設け、該切欠き部に一側端部を配して前記袖壁構造が前記柱部に一体に連結して設けられていてもよい。
【００１７】
この発明においては、柱部が一対の支柱本体と一対の側面カバーで形成されているため、袖壁構造を一体に設ける場合に、柱部に側面カバーを欠いた切欠き部を設け、この切欠き部に一側端部を配して袖壁構造を柱部に一体に連結して設けることができる。これにより、側面カバーを欠いて切欠き部を設けるだけで容易に袖壁構造を門構造体に一体形成することが可能になる。
【発明の効果】
【００１８】
本発明の門構造体においては、一対の支柱本体と一対の側面カバーで柱部を構築でき、一対の側枠と上枠及び下枠で架設部を構築して一対の柱部に架設することができる。これにより、腕木門、棟門、くぐり門のような門構造体を乾式工法で構築することが可能になる。
【図面の簡単な説明】
【００１９】
【図１】本発明の一実施形態に係る門構造体を示す斜視図である。
【図２】本発明の一実施形態に係る門構造体の柱部と架設部を示す分解斜視図である。
【図３】本発明の一実施形態に係る門構造体の架設部を示す分解斜視図である。
【図４】本発明の一実施形態に係る門構造体の柱部と架設部の連結部を示す斜視図である。
【図５】本発明の一実施形態に係る門構造体の装飾構造を示す正面図である。
【図６】本発明の一実施形態に係る門構造体を既存の壁構造と一体に設置した状態を示す図である。
【図７】本発明の一実施形態に係る門構造体の装飾構造（縦桟装飾構造）を示す正面図である。
【図８】本発明の一実施形態に係る門構造体の装飾構造（横桟装飾構造）を示す斜視図である。
【図９】本発明の一実施形態に係る門構造体の装飾構造（横桟装飾構造）を示す断面図である。
【図１０】本発明の一実施形態に係る門構造体の装飾構造（横桟装飾構造）を示す斜視図である。
【発明を実施するための形態】
【００２０】
以下、図１から図１０を参照し、本発明の一実施形態に係る門構造体について説明する。
【００２１】
ここで、本実施形態は、現代的な住宅などの現代建築の門まわりの外構として設けられる和風建築の腕木門、棟門、くぐり門のような門構造体に関するものである。なお、本発明にかかる門構造体は、現代的な住宅などの門まわりの外構としてだけでなく、集合住宅や商業施設などのゲートとして用いても勿論構わない。
【００２２】
本実施形態の門構造体Ａは、図１に示すように、幅方向Ｔ１の横方向に所定の間隔をあけて立設される一対の柱部１と、一対の柱部１の上端部同士を連結するように架設される架設部２とを備えて門型に形成されている。
【００２３】
また、柱部１は、断面略矩形状に形成され、長辺が門構造体Ａの奥行方向Ｔ２に沿うようにして配設されている。さらに、本実施形態では、長辺の奥行寸法が３００ｍｍ以上となるようにして各柱部１が形成されている。このように柱部１の奥行寸法を３００ｍｍ以上にすることで、この門構造体Ａをくぐった人に対して人間工学的に門構造体Ａをくぐった感覚をしっかりと持たせることができる。すなわち、門構造体Ａの存在をしっかりと認識させることができる。
【００２４】
一方、本実施形態の柱部１は、図２に示すように、一対の支柱本体３、４と、一対の側面カバー５、６とを備えて構成されている。
【００２５】
一対の支柱本体３、４は、例えばアルミニウム製の押出形材であり、角管状に形成されている。そして、一方の支柱本体３が柱部１の前方側に、他方の支柱本体４が柱部１の後方側にそれぞれ所定の間隔をあけて立設されている。このとき、各支柱本体３、４は、地中に埋設した基礎に下端側を支持させて立設されている。
【００２６】
また、一方の支柱本体３は、柱部１の前面と両側面を形成する３面に化粧材を貼り付けるなどし、柱部１として露出する部分の見栄えをよくして意匠性を確保するように形成されている。他方の支柱本体４においても、柱部１の後面と両側面を形成する３面に化粧材を貼り付けるなどし、柱部１として露出する部分の見栄えをよくして意匠性を確保するように形成されている。
【００２７】
また、一方の支柱本体３と他方の支柱本体４の互いに対向する１面（１面側）には、側面カバー５、６を係合して保持するための係合受部７が設けられている。さらに、各支柱本体３、４の前記１面には、上端部側に、架設部２を連結して保持するための連結部１９が設けられている。
【００２８】
一対の側面カバー５、６はそれぞれ、例えばアルミニウム製の押出形材であり、略平板状のカバー本体８と、カバー本体８の裏面から突出する係合部９とを備えて形成されている。また、カバー本体８は表面に化粧材を貼り付けるなどし、柱部１として露出する部分の見栄えをよくして意匠性を確保するように形成されている。
【００２９】
そして、これら一対の側面カバー５、６は、一方の側面カバー５が一対の支柱本体３、４の一側面と表面が略面一になるように、他方の側面カバー６が一対の支柱本体３、４の他側面と表面が略面一になるようにして、一対の支柱本体３、４の間にそれぞれ設置される。また、このとき、各側面カバー５、６は、係合受部７に係合部９を係合させ、また、必要に応じて各支柱本体３、４の係合受部７と係合部９、一対の側面カバー５、６の係合部９同士をビス留めするなどし、固定して設置される。
【００３０】
これにより、一対の支柱本体３、４と一対の側面カバー５、６が一体となって断面略矩形状の柱部１が形成される。また、一対の側面カバー５、６の表面と、各支柱本体３、４の前面、後面、一対の側面とに化粧材が貼り付けられているため、柱部１の全表面が化粧材で装飾され、見栄えが確保されている。
【００３１】
架設部２は、図２、図３、図４に示すように、下枠１０と、一対の側枠１１、１２と、上枠１３とを備えて構成されている。
【００３２】
下枠１０は、例えばアルミニウム製の押出形材であり、柱部１の一対の支柱本体３、４に端部を支持させ、一対の柱部１に架設されるとともに架設部２の下面を形成する平板状の下枠本体１４と、下枠本体１４の奥行方向Ｔ２の両端部側にそれぞれ、上面から上方に突出して設けられるとともに、幅方向Ｔ１の一端部側から他端部側まで延設された一対の固定部１５、１６とを備えて形成されている。
【００３３】
また、下枠１０には、その下面に化粧材を貼り付けるなどし、架設部２として露出する部分の見栄えをよくして意匠性を確保するように形成されている。
【００３４】
そして、この下枠１０は、各柱部１の一対の支柱本体３、４の互いに対向する側面の上端側に設けられた連結部１９に下枠本体１４の端部側をビス留めするなどして固着することによって、一対の柱部１に架設されている。これにより、下枠１０は、一対の支柱本体３、４と一対の側面カバー５、６で囲まれた各柱部１の内部空間内に、その端部側が位置するように架設されている。
【００３５】
一対の側枠１１、１２は、例えばアルミニウム製の押出形材であり、角管状に形成されている。そして、一方の側枠１１は両端部を柱部１の前方側の支柱本体３の上端部側の側面に対向させ、他方の側枠１２は両端部を柱部１の後方側の支柱本体４の上端部側の側面に対向させて、それぞれ配設されている。
【００３６】
また、各側枠１１、１２は、互いに対向する一側面側に、一側面から外側に突出し、一端部側から他端部側に延びる係合固定部１７を備えている。さらに、各側枠１１、１２は、上面の一側面側に上枠１３を係合するための係合受部１８が凹設されている。
【００３７】
そして、各側枠１１、１２は、係合固定部１７を下枠１０の前方側と後方側にそれぞれ突設された固定部１５、１６にビス留めするなどして下枠１０に固定され、下枠１０で支持して所定位置に配設されている。また、このとき、一対の側枠１１、１２は、その上面が柱部１の一対の支柱本体３、４の上端と上下方向Ｔ３の略同位置に配されるようにして架設されている。
【００３８】
また、各側枠１１、１２は、上面と他側面に化粧材を貼り付けるなどし、架設部２として露出する部分の見栄えをよくして意匠性を確保するように形成されている。
【００３９】
上枠１３は、例えばアルミニウム製の押出形材であり、一対の側枠１１、１２の係合受部１８に両側端部側を係合させて支持され、一対の柱部１に架け渡すように配設されるとともに架設部２の上面を形成する平板状の上枠本体２０と、上枠本体２０の奥行方向Ｔ２の両端部側にそれぞれ、下面から下方に突出して設けられるとともに、幅方向Ｔ１の一端部側から他端部側まで延設された一対の係合部２１とを備えて形成されている。
【００４０】
また、上枠１３には、その上面に化粧材を貼り付けるなどし、架設部２として露出する部分の見栄えをよくして意匠性を確保するように形成されている。
【００４１】
そして、この上枠１３は、一対の側枠１１、１２にそれぞれ係合して一対の側枠１１、１２と互いの上面を略面一にするように設置される。これにより、上枠１３と一対の側枠１１、１２と下枠１０とで囲まれた内部空間を備えた断面略方形状の架設部２が形成される。
【００４２】
ここで、本実施形態の門構造体Ａにおいては、上記のように一対の柱部１と架設部２が乾式工法で構築される。これにより、照明や装飾部などを容易に取り付け、一体化することができる。
【００４３】
具体的に、例えば、照明装置を門構造体Ａに設ける場合には、ダウンライトやライン照明などの照明装置を用い、架設部２の下枠１０の下枠本体１４に支持させたり、下枠本体１４に設置すればよい。また、各柱部１に同様にして照明装置を支持させて設置するようにしてもよい。そして、このとき、架設部２や柱部１が乾式工法で中空状に形成されているため、この中空状の内部空間を配線路等に利用して照明装置の設置が行える。さらに、柱部１や架設部２の側面カバー５、６、上枠１３などを容易に取り外しできるため、照明装置の設置作業、メンテナンス作業などが容易に行える。
【００４４】
また、図５に示すように、門構造体Ａに袖壁構造２５を一体に備えてもよい。
【００４５】
例えば、袖壁構造２５としては、下端側を地中に埋設した基礎に支持させ、幅方向Ｔ１に所定の間隔をあけて立設された複数の支柱と、支柱の下端側同士を繋ぐように架設された下桟（下枠）と、支柱の上端側同士を繋ぐように架設された上桟（上枠）と、上枠と下枠の間に所定の間隔をあけて設けられ、支柱の中間部同士を繋ぐように架設された中桟（中枠）と、支柱、上桟、中桟、下桟の前面、後面に固着して支持させ、前後の壁面を形成する一対の壁パネルと、各壁パネルの表面に一体に設けられた外装材とを備え、乾式工法で構築されるものが一例として挙げられる。
【００４６】
そして、このような袖壁構造２５は、柱部１の下端側に側面カバー５を欠いた切欠き部を設け、この切欠き部に一側端部を嵌め込むように配設して柱部１に連結することで、柱部１との一体感を確保し、見栄えを良くして設けることができる。また、袖壁構造２５と柱部１（支柱本体３、４）の間に隙間が生じる場合にはシーリング処理を施すなど適宜手法を用いて柱部１と袖壁構造２５の取合部の見栄えを良くすることが好ましい。
【００４７】
また、袖壁構造２５に照明（玄関灯、門灯）やインターホンなどの電気機器を設けるようにしてもよい。このように袖壁構造２５に電気機器を設ける場合においても、柱部１の内部空間を配線路として利用することができる。
【００４８】
さらに、図６に示すように、例えば、柱部１の下端側に一対の側面カバー５、６を欠いた切欠き部２３を形成し、この切欠き部２３を通じて既存の袖壁などの壁構造２２を柱部１に貫通（連通）させるように門構造体Ａを構築してもよい。また、この場合には、切欠き部２３を貫通させつつ既存の壁構造２２を柱部１に繋げて（連結して）門構造体Ａを構築してもよいし、切欠き部２３を貫通した既存の壁構造２２と柱部１を繋げず（連結せず）、柱部１が既存の壁構造２２を跨ぐようにして門構造体Ａを構築してもよい。そして、このように構成することによって既存の壁構造２２と好適に一体感を確保し、見栄えよく門構造体Ａを設置することができる。
【００４９】
また、既存の壁構造２２の上端部と側面カバー５、６の下端の間や、既存の壁構造２２と柱部１（支柱本体３、４）の間に隙間が生じる場合には、必要に応じてスペーサー部材を設置したり、シーリング処理を施すなどの適宜手法を用い、柱部１と壁構造２２の取合部の見栄えを良くすることが好ましい。
【００５０】
さらに、門構造体Ａに装飾構造２６を一体に備えてもよい。
【００５１】
例えば、装飾構造２６としては、図５、図７に示すように、一方の柱部１側に設置される縦桟装飾構造２７や架設部２側に設置される横桟装飾構造２８が挙げられる。
【００５２】
具体的に、縦桟装飾構造２７は、図７に示すように、上端側を架設部２に、下端側を基礎などに埋設して複数の縦桟２７ａを幅方向Ｔ１に間隔をあけて並設して構成される。このような縦桟装飾構造２７にはポストやインターホン２９などを取り付けるようにしてもよい。
【００５３】
横桟装飾構造２８は、図５、図８、図９に示すように、上下方向Ｔ３に間隔をあけて配設される複数の横材３０と、最上方の横材３０と架設部２、上下に隣り合う横材３０同士を接続する吊り材３１とを備えて構成されている。また、横材３０が上部枠３０ａと下部枠３０ｂとを備えて着脱可能に分割形成されている。
【００５４】
この横桟装飾構造２８を構築する際には、はじめに、最上方の吊り材３１の下端に最上方の横材３０の上部枠３０ａをビス留めして取り付け、この状態で最上方の吊り材３１の上端を架設部２にビス留めするなどして取り付ける。
【００５５】
次に、他の吊り材３１の上端に横材３０の下部枠３０ｂ、下端に横材３０の上部枠３０ａをそれぞれビス留めして取り付け、この状態で、横材３０の下部枠３０ｂを先行して取り付けた最上方の横材３０の上部枠３０ａに係合させて取り付ける。これにより、最上方の横材３０が形成される。
【００５６】
この操作を順次繰り返し、最後に最下方の吊り材３１の下端に取り付けられた上部枠３０ａに下部枠３０ｂを係合させて最下方の横材３０を形成する。これにより、横桟装飾構造２８を一体に構築することができる。
なお、複数の吊り材３１と横材３０をあらかじめ組み付けておき、これを架設部２にビス留めし、最後に最下方の横材３０の下部枠３０ｂを取り付けて横桟装飾構造２８を構築するようにしてもよい。
【００５７】
また、図９、図１０に示すように、横桟装飾構造２８では、最下方の横材を柱部１にビス留めする固定部３２を備えていることが望ましい。これにより、安定した状態で横桟装飾構造２８を設置することができる。
【００５８】
したがって、本実施形態の門構造体Ａにおいては、一対の支柱本体３、４を立設し、一対の側面カバー５、６を取り付けることで柱部１を構築でき、一対の柱部１に架け渡すように一対の側枠１１、１２と上枠１３及び下枠１０を取り付けることで、一対の柱部１に架設部２を架設することができる。これにより、腕木門、棟門、くぐり門のような門構造体Ａを乾式工法で構築することが可能になる。
【００５９】
また、雨水等の水が架設部２の内部に浸入した場合に、柱部１の内部空間内に下枠１０の端部が配されていることで、この水を架設部２の内部空間から柱部１の内部空間を通じて下方に導いて排水することができる。
【００６０】
さらに、照明やインターホンなどの電気機器を備える場合に、乾式工法で門構造体Ａを構築することによって形成された柱部１の内部空間や架設部２の内部空間を配線路として利用することができる。これにより、別途配線路を設ける必要がなく、見栄えをよくして（見栄えを維持して）電気機器を一体に設けることが可能になる。
【００６１】
また、上下方向Ｔ３に間隔をあけて配設される複数の横材３０と、最上方の横材３０と架設部２、上下に隣り合う横材３０同士を接続する吊り材３１とを備えてなる装飾構造２６（２８）を一体に備え、横材３０が着脱可能に分割形成された上部枠３０ａと下部枠３０ｂを備えて構成してもよい。
【００６２】
この場合には、例えば、最上方の吊り材３１の下端に最上方の横材３０の上部枠３０ａをビス留めして取り付け、この状態で最上方の吊り材３１の上端を架設部２にビス留めするなどして取り付ける。次に、他の吊り材３１の上端に横材３０の下部枠３０ｂ、下端に横材３０の上部枠３０ａをそれぞれビス留めして取り付け、この状態で、横材３０の下部枠３０ｂを先行して取り付けた最上方の横材３０の上部枠３０ａに係合させて取り付けることにより、最上方の横材３０を形成することができる。そして、このような操作を順次繰り返し、最後に最下方の吊り材３１の下端に取り付けられた上部枠３０ａに下部枠３０ｂを係合させて最下方の横材３０を形成することによって、装飾構造２６（２８）を容易に構築することができる。
【００６３】
さらに、柱部１が一対の支柱本体３、４と一対の側面カバー５、６で形成されているため、袖壁構造２５を一体に設ける場合には、柱部１に側面カバー５の一部を欠いた切欠き部を設け、この切欠き部に一側端部を配して袖壁構造２５を柱部１に一体に連結して設けることができる。これにより、側面カバー５の一部を欠いて切欠き部を設けるだけで容易に袖壁構造２５を門構造体Ａに一体形成することが可能になる。
【００６４】
以上、本発明に係る門構造体の一実施形態について説明したが、本発明は上記の一実施形態に限定されるものではなく、その趣旨を逸脱しない範囲で適宜変更可能である。
【符号の説明】
【００６５】
１      柱部
２      架設部
３      支柱本体
４      支柱本体
５      側面カバー
６      側面カバー
７      係合受部
８      カバー本体
９      係合部
１０    下枠
１１    側枠
１２    側枠
１３    上枠
１４    下枠本体
１５    固定部
１６    固定部
１７    係合固定部
１８    係合受部
１９    連結部
２０    上枠本体
２１    係合部
２２    既存の壁構造
２３    切欠き部
２５    袖壁構造
２６    装飾構造
２７    縦桟装飾構造
２７ａ  縦桟
２８    横桟装飾構造
２９    インターホン
３０    横材
３０ａ  上部枠
３０ｂ  下部枠
３１    吊り材
３２    固定部
Ａ      門構造体
Ｔ１    幅方向
Ｔ２    奥行方向
Ｔ３    上下方向
【図１】
0006453620.tif 000002
【図２】
0006453620.tif 000003
【図３】
0006453620.tif 000004
【図４】
0006453620.tif 000005
【図５】
0006453620.tif 000006
【図６】
0006453620.tif 000007
【図７】
0006453620.tif 000008
【図８】
0006453620.tif 000009
【図９】
0006453620.tif 000010
【図１０】
0006453620.tif 000011